(57)【特許請求の範囲】
【請求項１】
内部に吸収器あるいは蒸発器を収納した低温胴と、再生器を収納した高温胴とを備え、吸収液、冷媒あるいは冷却水が循環する吸収式冷凍機の架台において、低温胴あるいは高温胴の下部に間隔を存して取り付けられた複数対の脚と、これらの対をなす脚及び低温胴あるいは高温胴にて囲まれた空間を囲んで脚に固定された少なくとも一対の連結板と、これらの連結板に対称に形成された貫通孔と、これらの貫通孔を貫通して双方の連結板に固定されたパイプと、このパイプに通され、吸収液、冷媒あるいは冷却水が流れる配管とを備えたことを特徴とする吸収式冷凍機の架台。
【請求項２】
内部に吸収器あるいは蒸発器を収納した低温胴と、再生器を収納した高温胴とを備えた吸収式冷凍機の架台において、低温胴あるいは高温胴の下に設けられ上下に連結された上部支持脚と下部支持脚とを有し、上部支持脚は低温胴あるいは高温胴の下部に間隔を存して取り付けられた複数対の脚と、これらの脚及び低温胴あるいは高温胴にて囲まれる空間を囲み脚に固定された上部の連結板と備え、下部支持脚は上枠、下枠及び左右の枠とからなり上枠が脚の下端に固定された枠部材と、この枠部材によって囲まれた面に設けられて枠部材に固定された下部の連結板とを備えたことを特徴とする吸収式冷凍機の架台。
【請求項３】
内部に吸収器あるいは蒸発器を収納した低温胴と、再生器を収納した高温胴とを備え、吸収液、冷媒あるいは冷却水が循環する吸収式冷凍機の架台において、低温胴あるいは高温胴の下部に間隔を存して取り付けられた複数対の脚と、これら脚及び低温胴あるいは高温胴にて囲まれる空間を囲み脚に固定された上部連結板と、上枠、下枠及び左右の枠とからなり上枠が脚の下端に固定された枠部材と、この枠部材によって囲まれた空間に間隔を存して設けられて枠部材に固定された一対の下部連結板と、これらの連結板に対称に形成された貫通孔と、これらの貫通孔を貫通して双方の連結板に固定されたパイプと、このパイプに通され、吸収液、冷媒あるいは冷却水などが流れる配管とを備えたことを特徴とする吸収式冷凍機の架台。
【請求項４】
吸収液、冷媒あるいは冷却水が流れる配管はパイプの内壁と間隔を存してパイプに通されたことを特徴とする請求項１又は請求項３に記載の吸収式冷凍機の架台。
【発明の詳細な説明】
【０００１】
【産業上の利用分野】
本発明は吸収式冷凍機に関し、特に、吸収式冷凍機の低温胴等を支持する架台に関する。
【０００２】
【従来の技術】
例えば特開平５−５５７３号公報には、蒸発器及び吸収器を備えた複数の低温胴を２段に組合わせ、さらに低温胴の上に架台を介して復数台の冷水ポンプあるいは冷却水ポンプを載置した吸収式冷凍機が開示されている。
【０００３】
【発明が解決しようとする課題】
上記従来の技術に示された吸収式冷凍機において、低温胴は例えば四隅に溶接接続された復数本の棒状の架脚によって支持され、各架脚の下端は例えばコンクリートの基礎に固定されていた。各架脚には例えば鋼板をコの字状に折曲したものが使用されており、各架脚は吸収式冷凍機の通常の運転状態では、各低温胴の重量を確実に支持することができるように構成されている。
【０００４】
しかしながら、例えば地震が発生して低温胴に振動が及びその振動が想定されていた以上になったときには、架脚には低温胴の重量に上記振動の力が加わった力が働き、架脚が折れ曲がったりする虞があった。
そして、各架脚のうち一本の架脚が曲がった場合にも、支持されている低温胴が傾き、吸収器の吸収液液面あるいは蒸発器の冷媒液液面が変化し、吸収器の吸収液保留量が変化したり蒸発器から冷媒液が吸収器へ溢れたりしてそのままでは吸収式冷凍機を運転することができないという問題が発生する。
【０００５】
【課題を解決するための手段】
本発明は上記課題を解決するために、請求項１の発明は、内部に吸収器あるいは蒸発器を収納した低温胴と、再生器を収納した高温胴とを備え、吸収液、冷媒あるいは冷却水が循環する吸収式冷凍機の架台において、低温胴あるいは高温胴の下部に間隔を存して取り付けられた複数対の脚と、これらの対をなす脚及び低温胴あるいは高温胴にて囲まれた空間を囲んで脚に固定された少なくとも一対の連結板と、これらの連結板に対称に形成された貫通孔と、これらの貫通孔を貫通して双方の連結板に固定されたパイプと、このパイプに通され、吸収液、冷媒あるいは冷却水が流れる配管とを備えたことを特徴とする吸収式冷凍機の架台を提供するものである。
【００１０】
また、請求項２記載の発明は、内部に吸収器あるいは蒸発器を収納した低温胴と、再生器を収納した高温胴とを備えた吸収式冷凍機の架台において、低温胴あるいは高温胴の下に設けられ上下に連結された上部支持脚と下部支持脚とを有し、上部支持脚は低温胴あるいは高温胴の下部に間隔を存して取り付けられた複数対の脚と、これらの脚及び低温胴あるいは高温胴にて囲まれる空間を囲み脚に固定された上部の連結板と備え、下部支持脚は上枠、下枠及び左右の枠とからなり上枠が脚の下端に固定された枠部材と、この枠部材によって囲まれた面に設けられて枠部材に固定された下部の連結板とを備えたことを特徴とする吸収式冷凍機の架台を提供するものである。
【００１１】
また、請求項３の発明は、内部に吸収器あるいは蒸発器を収納した低温胴と、再生器を収納した高温胴とを備え、吸収液、冷媒あるいは冷却水が循環する吸収式冷凍機の架台において、低温胴あるいは高温胴の下部に間隔を存して取り付けられた複数対の脚と、これら脚及び低温胴あるいは高温胴にて囲まれる空間を囲み脚に固定された上部連結板と、上枠、下枠及び左右の枠とからなり上枠が脚の下端に固定された枠部材と、この枠部材によって囲まれた空間に間隔を存して設けられて枠部材に固定された一対の下部連結板と、これらの連結板に対称に形成された貫通孔と、これらの貫通孔を貫通して双方の連結板に固定されたパイプと、このパイプに通され、吸収液、冷媒あるいは冷却水などが流れる配管とを備えたことを特徴とする吸収式冷凍機の架台を提供するものである。
【００１２】
さらに、請求項４の発明は、吸収液、冷媒あるいは冷却水が流れる配管はパイプの内壁と間隔を存してパイプに通されたことを特徴とする請求項１又は請求項３に記載の吸収式冷凍機の架台を提供するものである。
【００１３】
【発明の実施の形態】
以下、本発明の一実施例を図面に基づいて詳細に説明する。
図１乃至図３に示した１ａは吸収式冷凍機の下胴、、１ｂは下胴１ａの上に載置された上胴であり、下胴（以下低温胴という。）１ａ及び上胴１ｂは例えば鉄等の鋼材から形成されている。また、下胴１ａの内部には吸収器２及び蒸発器３が収納されている。Ａは低温胴１ａの下部に取り付けられた低温胴を支持する架台である。
【００１４】
以下、架台Ａについて詳細に説明する。４は例えば鉄鋼板を折曲して形成され上端が低温胴１ａの下部表面に溶接接続された水平断面が例えばコ形状の脚であり、例えば４本の脚４…が前後に２個づつ相対向し、対になって低温胴１ａの下部に取り付けられている。
５…は例えば前部の脚４の下端に例えば溶接により取り付けられた架台板であり、これらの架台板５は例えば鉄鋼板によって形成されている。そして、架台板５は脚４に例えば溶接接続された立上片６とこの立上片６の下端から外方向へ水平に延びた水平片７とから構成され、水平片７には適所にボルト貫通孔８が形成されている。
【００１５】
１０、１０は例えば鉄等の鋼板によって形成された連結板であり、これらの連結板１０は間隔を存して設けられた一対の脚４、４間に渡され、各脚４、４の端辺に例えば溶接接続され固定されている。そして、連結板１０、１０及び脚４、４によって内部に空間１０Ａを形成するボックス１０Ｂが形成される。また、向き合った一対の連結板１０、１０には、それぞれ、対称にパイプ貫通孔１１、１２、１３、１４が形成されている。そして、各パイプ貫通孔１１、１２、１３、１４には夫々の貫通孔の直径に対応したパイプ１５、１６、１７、１８が取り付けられ、各パイプ１５、１６、１７には、吸収式冷凍機の吸収器２、蒸発器３、再生器（図示せず）及び凝縮器等を配管接続し、吸収液、冷媒あるいは冷却水等が流れる配管１９が各パイプ１５、１６、１７の内壁と間隔を存して通され、パイプ１８内には、吸収液配管の途中に設けられた吸収液ポンプＰの水平方向に突出した一部Ｐ１が収納されている。
【００１６】
また、一対の脚４、４及び連結板１０、１０の下端には底板２０が例えば溶接により取り付けられている。そして、連結板１０、１０は低温胴１ａの下部、夫々の脚４、４及び架台板５によって囲まれた空間１０Ａを閉塞している。
なお、吸収式冷凍機を設置するときには、図４及び図５に示したようにコンクリート等によって形成された基礎２１に固定用のボルト２１ｂを埋設し、ボルト２１ｂを架台板５のボルト貫通孔８に通して金属製のスペーサ２２にボルト２１を通すとともに貫通孔８にスペーサ２２を挿入する。そして、スペーサ２２と架台板５とを溶接し、さらにボルト２１とナット２３とによって確実に固定する。
【００１７】
また、脚４、４及び連結板１０、１０の下端に設けられた底板２０の例えば両端部は架台板５と同様に貫通孔８が形成され、底板２０は架台板５と同様にボルト２１ｂ、スペーサ２２及びナット２３によって基礎２１に固定される。
上記実施例によれば、低温胴１ａを支持する一対の脚４の間に間隔を存して２枚の連結板を１０、１０を渡し、脚４と夫々の連結板１０、１０とを接続してボックス１０Ｂを形成し、各連結板１０、１０が脚４の補強部材として作用するので、低温胴１ａ及び低温胴１ａの上に載置された上胴１ｂの支持強度を向上することができ、この結果、例えば地震などで低温胴１ａ及び上胴１ｂが揺れた場合にも、脚４の損傷を回避でき脚４と連結板１０、１０とによって低温胴１ａを確実に支持することができる。また、脚４の固定された架台板５を介して脚４を基礎２１に固定した場合にも、脚４によって低温胴１ａを確実に支持することができる。さらに、低温胴１ａ及び上胴１ｂの傾きを回避して吸収式冷凍機の運転をその後も行うことができる。
【００１８】
また、一対の脚４、４に固定された架台板５、５の下端水平壁７にはボルト貫通孔８が形成され、ボルト貫通孔８にボルト２１ｂを通し、スペーサ２２を介してナット２３を締めることによって各架台板５、５を介して脚４を基礎に容易にかつ確実に固定でき、低温胴１ａの基礎への設置及び固定作業の簡略化を図ることができるのは勿論、各脚４、４の下部に固定された架台板５、５の間隔は連結板１０、１０によって保持されると共に、脚４、４の下部と架台板５、５との固定部が連結板１０、１０によって補強され、各連結板１０、１０は対をなした脚４、４の下部の補強部材及び間隔保持部材としても作用し、例えば地震等が発生して振動が架台板５、５及び脚４、４を介して低温胴１ａに伝わって振動した場合にも、脚４、４が例えば架台板５、５との固定部上端（立上片６の上端）にて折曲するようなことを回避することができる。
【００１９】
また、脚４に取り付けられた連結板１０、１０には対称にパイプ貫通孔１１、１２、１３、１４が形成され、各パイプ貫通孔１１、１２、１３、１４には夫々の貫通孔の直径あるいは配管位置に対応したパイプ１５、１６、１７、１８が取り付けられ、各パイプ１５、１６、１７、１８には、吸収式冷凍機の吸収器２、蒸発器３、再生器（図示せず）及び凝縮器等を配管接続する配管１９等が通されたり、また、吸収液ポンプＰの一部が収納されているので、配管１９等を脚４及び連結板１０、１０をさけて配管接続する必要が無く、配管長を短く抑えることができ、配管作業の簡略化を図ることができ、さらに、製造コストの低減も図ることができる。
【００２０】
また、配管１９はパイプ１５、１６、１７の内壁と間隔を存して通されているので、吸収液、冷媒あるいは冷却水が配管１９を流れるとき等に各配管に発生する振動が連結板１０、１０に伝わり、連結板１０、１０が振動して振動音が発生することを回避でき、吸収式冷凍機の運転音の低減を図ることとができる。また、地震などの発生時、架台Ａの揺れと低温胴１ａの揺れとの間にズレが発生しても、各配管はパイプ１５、１６、１７の中を自由に移動することができ、この結果、配管の折曲あるいは亀裂の発生を回避でき、保守点検作業を簡略化することができる。
【００２１】
なお、図６及び図７に示したように配管１９を例えばパイプ１５に通すとともにパイプ１５との間に金属あるいは樹脂などの上下に２分割されたスペーサ３０ａ、３０ａあるいは外周から内部に向かって配管の通路になる切り込み３０ｃを形成したスペーサ３０ｂを設けた場合には、連結板１０、１０が各配管の支持部材として作用し、従来低温胴１ａに取り付けていた支持構造例えば吊下板などを簡略化でき、しかも確実に各配管１９を支持することができる。なお、スペーサ３０ａ及びスペーサ３０ｂに例えば弾性を有した樹脂を用い、配管１９が連結板１０、１０に対して移動可能できるような構成にすることによって、低温胴１ａが揺れたときにも配管１９の破損を回避することができる。
【００２２】
また、連結板１０の上端を低温胴１ａに接続せず、図２に１点鎖線に示したように低温胴１ａと間隔を存して脚４に接続した場合にも、同様の作用効果を得ることができる。なお、上記実施例にて説明したように連結板１０の上端を低温胴１ａに接続した場合には、低温胴１ａも補強部材として作用し、低温胴１ａの支持強度を一層向上することができる。
【００２３】
図８乃至図１０において、１ｃは吸収式冷凍機の高温再生器である高温胴であり、１１１はバーナ取付部、１１２は排気ガスダクトである。３１は高温胴１ｃの器壁であり、この器壁３１の両端下部に器壁３１の下部と共にボックス形状の上部支持脚３２が形成されている。以下、上部支持脚３２について説明する。器壁３１の両端部は低温胴１ａよりも下方に延び脚３３、３３が形成され、脚３３、３３の下端には低温胴１の下方に延びた接続板３３ａが例えば溶接接続されている。また、器壁３１より内側の低温胴１の下部には、器壁３１と間隔を存して板状の脚３４が例えば溶接接続され、脚３４の下端は接続板３３ａに溶接接続されている。
【００２４】
そして、対になっている脚３３、３３及び脚３４、３４の相対向した辺間には上部連結板である第１の連結板３５が例えば溶接接続され、且つ第１の連結板３５の上辺は低温胴１の器壁３１の下縁に溶接接続されている。さらに、各脚３３と脚３４との相対向した辺間には第２の連結板３６が溶接接続され、且つ第１の連結板と共に上部連結板を構成する第２の連結板３６の上辺は低温胴１の下部壁面に溶接接続されている。そして、脚３３、３３、脚３４及び第１の連結板３５及び第２の連結板３６によって囲まれた上部空間３７が形成されている。
【００２５】
３８は上部支持脚３２の下に接続された下部支持脚であり、上記上部支持脚３２と下部支持脚３８とから架台Ｂが構成される。以下、下部支持脚３８について説明する。
４１は枠部材であり、この枠部材４１は上枠４２、下枠４３及び前後枠４４、４５から構成され、各枠は鉄の鋼板をコの形状に折曲して形成されている。そして、上枠４２は上部支持脚３２の接続板３３ａと例えばボルト、ナットによって固定されている。下枠４３の前後両端は前後枠４４、４５の下端より外方に延び、固定部４６、４６が形成されている。固定部４６、４６は基礎２１に上記第１の実施例と同様にボルト、ナット等（図示せず）によって固定されている。４６１は枠４４、４５の下部と枠４３の固定部４６、４６とに渡された支持板であり、枠４４、４５及び枠４３に例えば溶接接続されている。
【００２６】
また、各枠４２、４３、４４、及び４５の相対向した辺には各枠によって囲まれた空間を覆うように例えば鉄の鋼板からなる下部連結板である第３の連結板４７、４７が間隔を存して溶接接続され、各枠４２、４３、４４、４５及び第３の連結板４７、４７によってボックス形状の下部支持脚３８が形成されている。第３の連結板４７、４７には対称の位置に貫通孔４８、４８が形成され、貫通孔４８、４８にはパイプ５０が貫通し、第３の連結板４７、４７に例えば溶接接続されている。そして、パイプ５０には内壁と間隔を存して例えば電源線等のコード５１が通されている。なお、パイプ５０に上記第１の実施例と同様に吸収液、冷媒あるいは冷却水等が流れる配管を通しても良いのは勿論である。
【００２７】
上記実施例によれば、高温胴１ｃは上部支持脚３２と、上部支持脚３２の下に連結された下部支持脚３８とによって基礎２１の上方に支持され、上部支持脚３２は脚３３、脚３４及び第１、第２の連結板３５、３６から構成されたボックス形状であり、下部支持脚３８は各枠４２、４３、４４、４５及び第３の連結板４７、４７によって構成されたボックス形状であり、第１、第２の連結板３５、３６及び第３の連結板４７はそれぞれ脚３３、３４及び枠部材４１の補強部材として作用するので、上部支持脚３２及び下部支持脚３８による低温胴１の支持強度、即ち、架台Ｂによる支持強度を向上することができ、この結果、例えば地震が発生して、振動が基礎２１から上部脚３２及び下部脚３８を介して高温胴１ｃに達し、高温胴１ｃが揺れたとしても脚３３、３４及び枠部材４１の折曲などの変形を第１、第２の連結板３５、３６及び第３の連結板４７で回避できる。この結果、高温胴１ｃの重量を上部支持脚３２及び下部支持脚３８によって確実に支持し、高温胴１ｃの傾きなどを回避でき、傾きの修正作業、脚の交換作業などを行う必要がなく、例えば漏れなどの保守点検作業を行うだけで吸収式冷凍機を運転することができる。
【００２８】
また、高温胴１ｃの架台が上部支持脚３２と下部支持脚３８とに分かれているため、吸収式冷凍機の例えば地下機械室などへの搬入時には、上部支持脚３２と下部支持脚３８とを連結する前、即ち夫々の支持脚を分割した状態で、夫々を機械室などに搬入し、下部支持脚３８を基礎２１に固定するとともに、上部支持脚３２が取り付けられた高温胴１ｃを搬入して機械室内で下部支持脚３８と上部支持脚３２とを連結すればよく、搬入口の高さに制限されることを極力回避でき、搬入作業の簡略化を図ることができる。
【００２９】
ここで、搬入作業をより容易にするためには、上部支持脚３２の高さを下部支持脚３８の高さより低くし、上部支持脚３２と高温胴１ｃとの高さをなるべき低くするようにする。そして、下部支持脚３８の高さを調節することによって高温胴１ｃを所定の高さの位置に設置することができる。そして、例えば高温再生器を収納した高温胴１ｃなどを上記架台Ｂによって支持強度の向上を図りつつ高い位置に設置することが可能になる。
【００３０】
さらに、下部支持脚３８の第３の連結板４７、４７には対称の位置に貫通孔４８、４８が形成され、貫通孔４８、４８にはパイプ５０が貫通し、第３の連結板４７、４７に例えば溶接接続されている。そして、パイプ５０には内壁と間隔を存して例えばコード５１等が通されているので、パイプ５０によって第３の連結板４７、７を連結し、第３の連結板４７・４７の強度を一層向上することができ、また、吸収式冷凍機運転時の第３の連結板４７、４７の振動音の発生などを回避することができる。
【００３１】
また、第３の連結板４７、４７には対称にパイプ貫通孔４８、４８が形成され、各パイプ貫通孔４８、４８には夫々の貫通孔の直径に対応したパイプ５０が取り付けられ、各パイプ５０には、コード５１が通されているので、コード５１を上部支持脚３２あるいは下部支持脚３８をさけて配線する必要が無く、配線長を短く抑えることができ、作業の簡略化を図ることができ、さらに、製造コストの低減も図ることができる。
【００３２】
また、パイプ５０に上記第１の実施例と同様に吸収式冷凍機の吸収器、蒸発器、再生器（図示せず）及び凝縮器等を配管接続する配管等を通した場合にも、配管を上部支持脚３２あるいは下部支持脚３８をさけて配管接続する必要が無く、配管長を短く抑えることができ、配管作業の簡略化を図ることができ、さらに、製造コストの低減も図ることができる。
【００３３】
また、上記第１の実施例と同様にパイプ５０にスペーサを介してコードあるいあは配管等を支持させることによって上記第１の実施例と同様の作用効果を得ることができる。
尚、本願発明は、上記実施例に限定されるものではなく、本願発明の主旨を逸脱しない範囲にて種々に実施が可能である。
【００３４】
例えば上記実施例においては、低温胴１ａあるいは高温胴１ｃを支持する架台について説明したが、吸収式冷凍機を構成する凝縮器及び低温再生器を収納した高温胴を支持する架台を上記第１、第２の実施例に示したような構造とした場合にも、地震などが発生したときに凝縮器、低温再生器あるいは高温再生器の傾きを回避でき、吸収式冷凍機の運転を行うことができるなど、上記実施例と同様の作用効果を得ることができる。
【００３５】
【発明の効果】
本発明は上記のように構成された吸収式冷凍機の架台であり、低温胴あるいは高温胴の下部に間隔を存して取り付けられた複数対の脚及び低温胴にて囲まれる空間を囲んで脚に少なくとも一対の連結板を固定し、これらの連結板に対称に形成された貫通孔を貫通したパイプを双方の連結板に固定し、このパイプに吸収液、冷媒あるいは冷却水が流れる配管を通したので、上記請求項３と同様の作用効果を得ることができると共に、連結板に貫通孔を形成した場合にも、パイプによって双方の連結板の貫通孔形成部及びその周辺が補強されて連結板自体の変形を回避でき、この結果、脚の損傷を確実に防止できる。
【００４０】
また、請求項２の発明によれば、低温胴あるいは高温胴の下部に間隔を存して取り付けられた複数対の脚及び低温胴あるいは高温胴にて囲まれる空間を囲む上部の連結板を脚に固定して、上枠、下枠及び左右の枠とからなる枠部材の上枠を脚の下端に固定し、この枠部材によって囲まれた面に下部の連結板を設けてこの連結板を枠部材に固定したので、上部支持脚及び下部支持脚による支持強度を向上することができ、この結果、例えば地震が発生して、振動が基礎から上部支持脚及び下部支持脚を介して低温胴あるいは高温胴に達し、低温胴あるいは高温胴が揺れたとしても脚及び枠部材の折曲などの変形を各連結板で回避できる、この結果、低温胴のあるいは高温胴の傾きなどを回避できその後も例えば漏れなどの保守点検作業を行うだけで吸収式冷凍機を運転することができる。
【００４１】
また、支持脚が上部支持脚と下部支持脚とに分かれているため、吸収式冷凍機の例えば地下機械室などへの搬入時には、上部支持脚と下部支持脚とを分割して、下部支持脚を基礎に固定するとともに、上部支持脚が取り付けられた低温胴を搬入して機械室内で下部支持脚と上部支持脚とを連結すればよく、搬入口の高さに制限されることを極力回避でき、搬入作業の簡略化を図ることができる。。
【００４２】
また、請求項３の発明によれば、低温胴あるいは高温胴の下部に脚及び上部の連結板によって構成された上部支持脚と、枠部材及び間隔を存して設けられた一対の下部の連結板によって構成された下部支持脚を上下に連結し、かつ、これらの連結板に貫通孔を対称に形成し、これらの貫通孔を貫通したパイプを双方の連結板に固定してパイプに吸収液、冷媒あるいは冷却水などが流れる配管通したので、請求項５と同様の作用効果を得ることができるのは勿論、連結板に貫通孔を形成した場合にも、パイプによって双方の連結板の貫通孔形成部及びその周辺が補強されて連結板自体の変形を回避でき、この結果、支持脚の高さが高くなった場合にも脚の損傷を確実に防止できる。
【００４３】
さらに、請求項４の発明によれば、吸収液、冷媒あるいは冷却水が流れる配管はパイプの内壁と間隔を存してパイプに通されているので、吸収液、冷媒あるいは冷却水が配管を流れるとき等に各配管に発生する振動が連結板に伝わり、連結板が振動して振動音が発生することを回避でき、吸収式冷凍機の運転音の低減を図ることとができる。また、地震などの発生時、架台の揺れと低温胴あるいは高温胴の揺れとの間にズレが発生しても、各配管はパイプの中を自由に移動することができ、この結果、配管の折曲あるいは亀裂の発生を回避でき、吸収液、冷媒あるいは冷却水の漏れを防止でき、保守点検作業を簡略化することができる。
【図面の簡単な説明】
【図１】本願発明の第１の実施例を示す低温胴の正面図である。
【図２】図１に示した低温胴の右側面図である。
【図３】図１に示した低温胴の左側面図である。
【図４】架台の要部水平断面図である。
【図５】架台の基礎への固定を説明する断面図である。
【図６】パイプの支持構造の説明図である。
【図７】パイプの支持構造の説明図である。
【図８】本願発明の第２の実施例を示す高温胴の正面図である。
【図９】図８に示した高温胴の右側面図である。
【図１０】図８に示した高温胴の左側面図である。
【符号の説明】
Ａ      架台
１ａ    低温胴
１ｂ    上胴
１ｃ    高温胴
２      吸収器
３      蒸発器
４      脚
５      架台板
６      立上片
７      水平片
１０    連結板
１０Ａ  空間
１０Ｂ  ボックス
１１    パイプ貫通孔
１５    パイプ
１９    配管
２０    底板
２１    基礎
３０ａ  スペーサ
３０ｂ  スペーサ
３２    上部支持脚
３３    脚
３４    脚
３５    第１の連結板
３６    第２の連結板
３７    上部空間
３８    下部支持脚
Ｂ      架台
４１    枠部材
４７    第３の連結板
５０    パイプ
５１    コード
【図１】
0003732878.tif 000002
【図２】
0003732878.tif 000003
【図３】
0003732878.tif 000004
【図４】
0003732878.tif 000005
【図５】
0003732878.tif 000006
【図６】
0003732878.tif 000007
【図７】
0003732878.tif 000008
【図８】
0003732878.tif 000009
【図９】
0003732878.tif 000010
【図１０】
0003732878.tif 000011